(57)【特許請求の範囲】
【請求項１】
機器筐体の表面にシート材を展示するようにしたシート材展示装置において、
シート材を収納するシート材収納凹部が裏面に形成された透明なサンプルホルダプレートと、
裏面に前記サンプルホルダプレートを収容するホルダ収容凹部が形成され、表面に前記サンプルホルダプレートが露出するサンプル露出孔が形成されるとともに、一側面に前記ホルダ収容凹部と連通し前記サンプルホルダプレートが出没自在なサンプル挿入口が形成された展示枠体と、
該展示枠体を前記機器筐体の表面に締着する締着手段と、
前記サンプル挿入口を介し前記サンプルホルダプレートを前記展示枠体のホルダ収容凹部内に収容した際、前記サンプル挿入口内に突出して前記サンプルホルダプレートの一側縁と係合し、前記サンプル挿入口からの前記サンプルホルダプレートの脱落を阻止する係合手段と
を具えたことを特徴とするシート材展示装置。
【請求項２】
前記締着手段は前記展示枠体を前記機器筐体に締着する取付けネジであることを特徴とする請求項1記載のシート材展示装置。
【請求項３】
前記係合手段は、先端が前記機器筐体の裏面から前記サンプル挿入口内に出没するツマミネジであることを特徴とする請求項1記載のシート材展示装置。
【請求項４】
前記サンプル挿入口は前記展示枠体の下縁に形成されていることを特徴とする請求項1記載のシート材展示装置。
【発明の詳細な説明】
【０００１】
【発明の属する技術分野】
この発明は、テレホンカード、商品券等のシート材を販売する自動販売機に関し、特にこの自動販売機の機器筐体表面に販売するシート材の見本を展示するシート材展示装置の改良に関する。
【０００２】
【従来の技術】
従来からテレホンカード等の自動販売機では、販売対象たるシート状の形態を有するテレホンカードの見本を展示するため、機器筐体の表面にシート材展示装置を装着している。なお、上述した自動販売機の機器筐体は、当該筐体内に収容された商品（テレホンカード）の盗難等を防止するため、その板厚を比較的厚く設定し、外部から損傷を受けることを可及的に防止している。
【０００３】
なお、販売対象のシート材としては、上述したようなテレホンカードの他に、ＩＣ記憶領域が形成されたＩＣカード、あるいは光記録領域が形成された光学記録カード、また磁気、ＩＣ、光学等の各種記憶、あるいは記録領域が形成されたハイブリットカード等のシート材が考えられる。
【０００４】
一方、上述した自動販売機等の機器筐体に配設された従来のシート材展示装置は、機器筐体の扉部分に形成された窓孔と、この窓孔を扉の表面から覆う着脱自在な表面カバーと、前記窓孔を扉の裏面から覆う着脱自在な裏蓋とから構成されている。なお、上述した窓孔は見本カード交換等の際に、その出し入れを容易にすべく見本カードの表面積よりも若干大きな開口面積を有しており、また表面カバーは見本カードを外部から容易に認識できるよう、その一部が透明部分により形成されている。
【０００５】
そして、見本カードの展示あるいは、この展示された見本カードの交換作業をおこなう際は、扉の拡開後、表面カバーと裏蓋の双方を扉に締着する取付けネジ等の多数の締着部材を扉から取り外し、これにより窓孔を拡開した後、見本カードを窓孔を介し表面カバー内に装着し、あるいは取り外すようにしている。
【０００６】
そして、再び、新しい見本カードを展示する場合は、見本カードを窓孔内に装着し、その後、その窓孔の表裏面を表面カバーと裏蓋の双方で覆い、かつ当該裏蓋と表面カバーとを取付けネジ等の締着部材により扉の表裏面に締着し、これにより見本カードを表面カバーと裏蓋との間に挟持するようにしていた。
【０００７】
【発明が解決しようとする課題】
ところで、上述した従来のシート材展示装置では、機器筐体が板厚の厚い扉を使用するにもかかわらず、その扉にシート材の表面積以上の開口面積を有する窓孔を形成するため、この窓孔部分で扉の機械的強度が著しく低下し、このため、いたずら等の要因により表面カバーおよび裏蓋が破損されると、この窓孔を介し機器筐体内の物品がとられてしまう虞があった。
【０００８】
また、上述した従来装置では、見本カードの展示、あるいは見本カードの交換作業をおこなう際は、取付けネジ等の多数の締着部材を一旦全て取り外し、これにより扉から表面カバーと裏蓋の双方を取り外す作業をおこなわねばならないため、見本カードの展示交換作業が煩雑となる問題点があった。
【０００９】
この発明は上述した事情に鑑み、機器筐体の強度低下を防止するとともに、展示されるシート材の展示交換作業が容易なシート材展示装置を提供することを目的とする。
【００１０】
【課題を解決するための手段】
上述した課題を解決するため、この発明では、機器筐体の表面にシート材を展示するようにしたシート材展示装置において、シート材を収納するシート材収納凹部が裏面に形成された透明なサンプルホルダプレートと、裏面に前記サンプルホルダプレートを収容するホルダ収容凹部が形成され、表面に前記サンプルホルダプレートが露出するサンプル露出孔が形成されるとともに、一側面に前記ホルダ収容凹部と連通し前記サンプルホルダプレートが出没自在なサンプル挿入口が形成された展示枠体と、該展示枠体を前記機器筐体の表面に締着する締着手段と、前記サンプル挿入口を介し前記サンプルホルダプレートを前記展示枠体のホルダ収容凹部内に収容した際、前記サンプル挿入口内に突出して前記サンプルホルダプレートの一側縁と係合し、前記サンプル挿入口からの前記サンプルホルダプレートの脱落を阻止する係合手段とを具えている。
【００１１】
【発明の実施の形態】
以下、この発明に係わるシート材展示装置の一実施例を詳述する。
【００１２】
図１は、この発明に係わるシート材展示装置を装着した自動販売機の斜視図である。
【００１３】
この自動販売機１は、シート材であるテレホンカードを販売するテレホンカード販売機で、この自動販売機１は商品であるテレホンカードを収容した立方体形状の機器筐体２からなり、この機器筐体２の正面は扉３により開閉自在に覆われている。
【００１４】
一方、この扉３の表面には、投入紙幣の正偽を判別する図示せぬ紙幣処理装置の紙幣挿入口４が露出しており、またこの扉３の表面には販売対象のシート材であるテレホンカード見本Ａ、Ｂを展示した一対のシート材展示装置５、６が装着されている。
【００１５】
なお、この一対のシート材展示装置５、６の各下方には、購入するテレホンカードを選択するカード選択ボタン７、８及び、購入したテレホンカードを排出するカード排出口９、１０が配設されており、また紙幣挿入口４の上方には投入金額を表示する投入金額表示装置１１が配設されている。
【００１６】
なお、図１で符号、１２、１３は扉３を機器筐体１にロックする図示せぬロック装置のキーシリンダである。
【００１７】
次に、上述したシート材展示装置５、６を説明するが、この一対のシート材展示装置５、６は同一構造なので、一方のシート材展示装置５を代表して説明し、他方のシート材展示装置６の説明を省略する。
【００１８】
図２は、この発明に係わるシート材展示装置５の組立分解斜視図である。
【００１９】
このシート材展示装置５は、シート材であるテレホンカードの見本カードＡを収納するサンプルホルダプレート１４と、このサンプルホルダプレート１４を保持する展示枠体１５と、この展示枠体１５を扉３の表面に締着する締着手段１６と、展示枠体１５内に収容されたサンプルホルダプレート１４の脱落を阻止する係合手段１７とから構成されている。
【００２０】
このうち、サンプルホルダプレート１４は図３の組立分解斜視図で示すように、透明な板材により形成され、その中央部裏面には、見本カードＡの平面形状と略同一形状のシート材収納凹部１４ａが形成されている。
【００２１】
そしてサンプルホルダプレート１４は矢印方向に装填される見本カードＡを図２で示すようにシート材収納凹部１４ａ内に収納する。
【００２２】
一方、展示枠体１５は図４の組立分解斜視図で示すように、板材を折曲げて形成された矩形状の外枠４０と、この外枠４０内に溶接等の固着手段により固着されるコの字形状の内枠５０とから構成されている。
【００２３】
この展示枠体１５のうち、内枠５０には、サンプルホルダプレート１４を収容するホルダ収容凹部１８が形成され、外枠４０には、その中央部にサンプルホルダプレート１４内に収納された見本カードＡを認識させるサンプル露出孔１９が形成されている。
【００２４】
そして、内枠５０を矢印で示すように、外枠４０内に装着し、その後溶接等の固着手段により固着すると、図２で示すように展示枠体１５が形成される。
【００２５】
なお、図２で示すように内枠５０を外枠４０に固着すると、展示枠体１５の一側面である、下縁１５ａにホルダ収容凹部１８と連通してサンプルホルダプレート１４が出没可能なサンプル挿入口２０が形成される。
【００２６】
なお図４で符号２１は内枠５０の周面に所定のピッチで形成された雌ネジ孔で、この雌ネジ孔２１は後述する締着手段１６の取付ネジが螺合する。
【００２７】
一方、上述した展示枠体１５を扉３に締着する締着手段１６は、図２で示すように、展示枠体１５の内枠５０周面に形成された複数の雌ネジ孔２１にそれぞれ螺合する複数の取付ネジ２２により構成されている。
【００２８】
なお、展示枠体１５の内枠５０周面に形成された複数の雌ネジ孔２１と対向する扉３の部分には締着手段１６の複数の取付ネジ２２がそれぞれ挿通する小さな挿通孔２ａが形成されている。
【００２９】
このように形成された展示枠体１５を図２の矢印で示すように扉３に接近させ、その後、締着手段１６の取付けネジ２２を扉３の挿通孔２ａを介し、展示枠体１５の雌ネジ孔２１に螺合させると、図５の斜視図で示すように、展示枠体１５は締着手段１６により扉３の所定位置に強固に締着されることとなる。
【００３０】
一方、サンプルホルダプレート１４の脱落を阻止する係合手段１７は、図５で示すように、展示枠体１５のサンプル挿入口２０内に出没自在な一対のツマミネジ３０とから構成されている。
【００３１】
一方、この一対のツマミネジ３０が螺合する扉３の部分には、ツマミネジ３０が螺合する雌ネジ孔３１が形成された一対の座金３２が溶接等で固着されており、またこの一対の座金３２の雌ネジ孔３１に対向する部分の扉３には、ツマミネジ３０の先端３０ａがサンプル挿入口２０内に出没する小さな挿通孔（後述する）が形成されている。
【００３２】
次に上述したシート材展示装置５の作用を説明し、併せて構成をより詳細に説明する。
【００３３】
図６の斜視図で示すように、扉３に固着された展示枠体１５の下縁１５ａに形成されたサンプル挿入口２０に対し、見本カードＡを収納したサンプルホルダプレート１４を矢印Ｃで示すように上動させると、図７の斜視図で示すように、見本カードＡを収納したサンプルホルダプレート１４はサンプル挿入口２０を介し展示枠体１５のホルダ収容凹部１８内にスライド侵入し、その後、図８で示すようにサンプルホルダプレート１４は展示枠体１５のホルダ収容凹部１８内に完全に収容される。
【００３４】
なお、この図８で示すサンプルホルダプレート１４の収容時には、展示枠体１５のサンプル露出孔１９からサンプルホルダプレート１４の大部分が露出し、このためサンプルホルダプレート１４内に収納された見本カードＡの全てが外部から容易に認識されることとなる。
【００３５】
一方、図８で示すサンプルホルダプレート１４の収容状態では、そのままの状態にしておくと自重によりサンプルホルダプレート１４はサンプル挿入口２０から下方へ脱落してしまう虞があるので、図８のＤＤ拡大断面図で示す図９のように係合手段１７のツマミネジ３０によりその脱落を防止する。
【００３６】
すなわち、図９で示すサンプルホルダプレート１４の収容状態から、係合手段１７のツマミネジ３０を座金３２の雌ネジ孔３１内に螺合させると、図１０で示すように、ツマミネジ３０の先端３０ａが扉３の小さな挿通孔２ｂを介してサンプル挿入口２０内に突出するので、これによりサンプルホルダプレート１４の下縁１４ａがツマミネジ３０の先端３０ａと係合し、サンプルホルダプレート１４のサンプル挿入口２０からの脱落が阻止される。
【００３７】
よって、見本カードＡを収納したサンプルホルダプレート１４は確実に展示枠体１５内に装着保持され、ツマミネジ３０を取外さない限り、シート材展示装置５内から取り出せないこととなる。
【００３８】
なお、シート材である見本カードを交換する際は、前述したのとは逆に、ツマミネジ３０を取り外した後、サンプルホルダプレート１４をサンプル挿入口２０から取り出し、次に、新しい見本カードをサンプルホルダプレート１４内に収納し、そのサンプルホルダプレート１４をサンプル挿入口２０を介して展示枠体１５内に挿入し、その後、ツマミネジ３０を座金３２に螺合させてその先端３０ａをサンプル挿入口２０内に突出させ、サンプルホルダプレート１４の下縁と再び係合させて、その脱落を阻止すれば良いこととなる。
【００３９】
なお、上記実施例では、雨滴等の侵入を阻止するため、サンプルホルダプレート１４を出没させるサンプル挿入口２０を展示枠体１５の下縁１５ａに形成するようにしたが、この発明は上記実施例に限定されることなく、展示枠体１５の上縁でも良く、また展示枠体１５の左右の一方の側縁に形成するようにしても良いことは勿論である。
【００４０】
なお、サンプル挿入口２０を展示枠体１５の上縁あるいは、その左右の一方の側縁に形成する場合は、それに対応した位置に係合手段１７を配設することは言うまでもない。
【００４１】
【発明の効果】
以上説明したように、この発明のシート材展示装置では、一側面にサンプル挿入口が形成された展示枠体を機器筐体に固着し、この固着された展示枠体のサンプル挿入口を介しシート材を収納したサンプルホルダプレートの着脱を行うようにしたから、従来の如く機器筐体から表面カバー等の全ての構成部品を取り外す必要がなく、このためシート材の展示および交換作業が極めて容易となる。またこの発明のシート材展示装置では、機器筐体に展示対象たるシート材よりも大きな窓孔を形成することもないので機械的強度が低下せず、このため悪戯による機器筐体への損傷を可及的に防止することもできる。
【図面の簡単な説明】
【図１】図１は、この発明のシート材展示装置を装着した自動販売機の概念斜視図。
【図２】図２は、シート材展示装置の組立分解斜視図、
【図３】図３は、サンプルホルダプレートの組立分解斜視図。
【図４】図４は展示枠体の組立分解斜視図。
【図５】図５は展示枠体を装着した状態を示す扉の要部拡大斜視図。
【図６】図６はこの発明に係わるシート材展示装置の作用を示す概念斜視図。
【図７】図７はこの発明に係わるシート材展示装置の作用を示す概念斜視図。
【図８】図８はこの発明に係わるシート材展示装置の作用を示す概念斜視図。
【図９】図９は図８のＤＤ断面図。
【図１０】図１０は、ツマミネジを装着した状態を示す図８のＤＤ断面図である。
【符号の説明】
２…機器筐体
５、６…シート材展示装置
１４ａ…シート材収納凹部
１４…サンプルホルダプレート
１５…展示枠体
１５ａ…下縁
１６…締着手段
１７…係合手段
１８…ホルダ収容凹部
１９…ホルダ露出孔
２０…サンプル挿入口
２２…取付けネジ
３０…ツマミネジ
Ａ、Ｂ…シート材（見本カード）
【図１】
0003544085.tif 000002
【図２】
0003544085.tif 000003
【図３】
0003544085.tif 000004
【図４】
0003544085.tif 000005
【図５】
0003544085.tif 000006
【図６】
0003544085.tif 000007
【図７】
0003544085.tif 000008
【図８】
0003544085.tif 000009
【図９】
0003544085.tif 000010
【図１０】
0003544085.tif 000011